(57)【要約】【課題】建物内に設置された既設配管を、室外機の交換時に洗浄して有効に利用する。【解決手段】圧縮機および室外熱交換器を備える室外機と、室内熱交換器を備える室内機と、当該室外機および室内機を接続する接続用冷媒配管とを有する空気調和装置の既設配管洗浄方法において、既設の室外機を新たな室外機に交換した後に、当該室外機を暖房運転または冷房運転させることにより、当該室外機に充填された冷媒を用いて既設の接続用冷媒配管を洗浄し、この接続用冷媒配管内に残留する冷凍機油などを前記圧縮機へ回収する。【選択図】      図３
2004197997.tif 000002
【特許請求の範囲】
【請求項１】
圧縮機および室外熱交換器が室外冷媒配管に配設された室外機と、室内熱交換器が室内冷媒配管に配設された室内機と、前記室外冷媒配管と前記室内冷媒配管を接続し、ガス管及び液管を備えてなる接続用冷媒配管とを有する空気調和装置の既設配管洗浄方法において、
既設の室外機を新たな室外機に交換した後に、当該室外機を暖房運転または冷房運転させることにより、当該室外機に充填された冷媒または冷凍機油を用いて既設の接続用冷媒配管を洗浄し、この接続用冷媒配管内に残留する冷凍機油などを前記圧縮機へ回収する
ことを特徴とする空気調和装置の既設配管洗浄方法。
【請求項２】
前記洗浄後に、前記圧縮機に回収された冷凍機油を排出し、新たな冷凍機油を前記圧縮機に封入した後に、新たな室外機を暖房運転または冷房運転させることにより、既設の接続用冷媒配管を再度洗浄する
ことを特徴とする請求項１に記載の空気調和装置の既設配管洗浄方法。
【請求項３】
前記圧縮機への冷凍機油の封入に際し、冷凍機油の封入に使用される配管内を真空引きした後に、当該配管に冷凍機油を注入して、前記圧縮機へ冷凍機油を封入する
ことを特徴とする請求項２に記載の空気調和装置の既設配管洗浄方法。
【請求項４】
圧縮機および室外熱交換器が室外冷媒配管に配設された室外機と、室内熱交換器が室内冷媒配管に配設された室内機と、前記室外冷媒配管と前記室内冷媒配管を接続し、ガス管及び液管を備えてなる接続用冷媒配管とを有する空気調和装置の既設配管洗浄方法において、
前記圧縮機に新たな冷凍機油を封入した後に、既設の室外機を暖房運転または冷房運転させることにより、当該既設の室外機に充填された冷媒または冷凍機油を用いて既設の接続用冷媒配管を洗浄し、この接続用冷媒配管内に残留する冷凍機油などを前記室外機へ回収する
ことを特徴とする空気調和装置の既設配管洗浄方法。
【請求項５】
圧縮機及び室外熱交換器が室外冷媒配管に配設された室外機と、室内熱交換器が室内冷媒配管に配設された室内機と、上記室外冷媒配管と上記室内冷媒配管を接続し、ガス管及び液管を備えてなる接続用冷媒配管と、を有する空気調和装置の既設配管洗浄システムにおいて、
既設の室外機に代えて新設された室外機を備え、当該室外機を暖房運転または冷房運転させることにより、当該室外機に充填された冷媒または冷凍機油を用いて既設の接続用冷媒配管を洗浄し、この接続用冷媒配管内に残留する冷凍機油などを前記圧縮機へ回収するよう構成された
ことを特徴とする空気調和装置の既設配管洗浄システム。
【請求項６】
前記洗浄後に、前記圧縮機に回収された冷凍機油を排出し、新たな冷凍機油を前記圧縮機に封入した後に、新たな室外機を暖房運転または冷房運転させることにより、既設の接続用冷媒配管を再度洗浄するよう構成された
ことを特徴とする請求項５に記載の空気調和装置の既設配管洗浄システム。
【請求項７】
前記圧縮機への冷凍機油の封入に際し、冷凍機油の封入に使用される配管内を真空引きした後に、当該配管に冷凍機油を注入して、前記圧縮機へ冷凍機油を封入するよう構成された
ことを特徴とする請求項６に記載の空気調和装置の既設配管洗浄システム。
【請求項８】
圧縮機および室外熱交換器が室外冷媒配管に配設された室外機と、室内熱交換器が室内冷媒配管に配設された室内機と、前記室外冷媒配管と前記室内冷媒配管を接続し、ガス管及び液管を備えてなる接続用冷媒配管とを有する空気調和装置の既設配管洗浄システムにおいて、
前記圧縮機に新たな冷凍機油を封入した後に、既設の室外機を暖房運転または冷房運転させることにより、当該既設の室外機に充填された冷媒または冷凍機油を用いて既設の接続用冷媒配管を洗浄し、この接続用冷媒配管内に残留する冷凍機油などを前記室外機へ回収するよう構成された
ことを特徴とする空気調和装置の既設配管洗浄システム。
【発明の詳細な説明】
【０００１】
【発明の属する技術分野】
本発明は、建物に設置された接続用冷媒配管を洗浄して利用可能とする空気調和装置の既設配管洗浄方法及び洗浄システムに関する。
【０００２】
【従来の技術】
空気調和装置は、圧縮機及び室外熱交換器が室外冷媒配管に配設された室外機と、室内熱交換器が室内冷媒配管に配設された室内機と、室外冷媒配管と室内冷媒配管を接続し、ガス管及び液管を備えてなる接続用冷媒配管とを有して構成される。このような空気調和装置のうち、ビルディングなどの建物に設置されるものでは室内機が多数存在し、従って、これらの室内機に接続される接続用冷媒配管は、配管長が長く、しかも枝管が多く複雑な形状となっている（例えば、特許文献１参照）。
【０００３】
【特許文献１】
特開２０００−３０４７１３号公報
【０００４】
【発明が解決しようとする課題】
空気調和装置の室外機及び室内機を交換する際に、建物内に設置された上記接続用冷媒配管をも交換することは、特に、この接続用冷媒配管の寿命に余裕がある場合に無駄であり、有効に利用されるべきである。
【０００５】
但し、既設の空気調和装置と新設の空気調和装置との間で使用される冷媒または圧縮機が異なる場合には、これらの冷媒に対応して冷凍機油も異なる。このため、既設の空気調和装置の接続用冷媒配管を残し、室外機及び室内機を交換する際には、この据え置かれた接続用冷媒配管内に残留する冷凍機油を、良好に除去する必要がある。
【０００６】
本発明は、上述した事情に鑑みてなされたものであり、建物内に設置された既設配管を、室外機の交換時に洗浄して有効に利用できる空気調和装置の既設配管洗浄方法及び洗浄システムを提供することを目的とする。
【０００７】
【課題を解決するための手段】
上記目的を達成するために、請求項１に記載の発明は、圧縮機および室外熱交換器が室外冷媒配管に配設された室外機と、室内熱交換器が室内冷媒配管に配設された室内機と、前記室外冷媒配管と前記室内冷媒配管を接続し、ガス管及び液管を備えてなる接続用冷媒配管とを有する空気調和装置の既設配管洗浄方法において、既設の室外機を新たな室外機に交換した後に、当該室外機を暖房運転または冷房運転させることにより、当該室外機に充填された冷媒または冷凍機油を用いて既設の接続用冷媒配管を洗浄し、この接続用冷媒配管内に残留する冷凍機油などを前記圧縮機へ回収することを特徴とする。
【０００８】
請求項２に記載の発明は、請求項１に記載の空気調和装置の既設配管洗浄方法において、前記洗浄後に、前記圧縮機に回収された冷凍機油を排出し、新たな冷凍機油を前記圧縮機に封入した後に、新たな室外機を暖房運転または冷房運転させることにより、既設の接続用冷媒配管を再度洗浄することを特徴とする。
【０００９】
請求項３に記載の発明は、請求項２に記載の空気調和装置の既設配管洗浄方法において、前記圧縮機への冷凍機油の封入に際し、冷凍機油の封入に使用される配管内を真空引きした後に、当該配管に冷凍機油を注入して、前記圧縮機へ冷凍機油を封入することを特徴とする。
【００１０】
請求項４に記載の発明は、圧縮機および室外熱交換器が室外冷媒配管に配設された室外機と、室内熱交換器が室内冷媒配管に配設された室内機と、前記室外冷媒配管と前記室内冷媒配管を接続し、ガス管及び液管を備えてなる接続用冷媒配管とを有する空気調和装置の既設配管洗浄方法において、前記圧縮機に新たな冷凍機油を封入した後に、既設の室外機を暖房運転または冷房運転させることにより、当該既設の室外機に充填された冷媒または冷凍機油を用いて既設の接続用冷媒配管を洗浄し、この接続用冷媒配管内に残留する冷凍機油などを前記室外機へ回収することを特徴とする。
【００１１】
請求項５に記載の発明は、圧縮機及び室外熱交換器が室外冷媒配管に配設された室外機と、室内熱交換器が室内冷媒配管に配設された室内機と、上記室外冷媒配管と上記室内冷媒配管を接続し、ガス管及び液管を備えてなる接続用冷媒配管と、を有する空気調和装置の既設配管洗浄システムにおいて、既設の室外機に代えて新設された室外機を備え、当該室外機を暖房運転または冷房運転させることにより、当該室外機に充填された冷媒または冷凍機油を用いて既設の接続用冷媒配管を洗浄し、この接続用冷媒配管内に残留する冷凍機油などを前記圧縮機へ回収するよう構成されたことを特徴とする。
【００１２】
請求項６に記載の発明は、請求項５に記載の空気調和装置の既設配管洗浄システムにおいて、前記洗浄後に、前記圧縮機に回収された冷凍機油を排出し、新たな冷凍機油を前記圧縮機に封入した後に、新たな室外機を暖房運転または冷房運転させることにより、既設の接続用冷媒配管を再度洗浄するよう構成されたことを特徴とする。
【００１３】
請求項７に記載の発明は、請求項６に記載の空気調和装置の既設配管洗浄システムにおいて、前記圧縮機への冷凍機油の封入に際し、冷凍機油の封入に使用される配管内を真空引きした後に、当該配管に冷凍機油を注入して、前記圧縮機へ冷凍機油を封入するよう構成されたことを特徴とする。
【００１４】
請求項８に記載の発明は、圧縮機および室外熱交換器が室外冷媒配管に配設された室外機と、室内熱交換器が室内冷媒配管に配設された室内機と、前記室外冷媒配管と前記室内冷媒配管を接続し、ガス管及び液管を備えてなる接続用冷媒配管とを有する空気調和装置の既設配管洗浄システムにおいて、前記圧縮機に新たな冷凍機油を封入した後に、既設の室外機を暖房運転または冷房運転させることにより、当該既設の室外機に充填された冷媒または冷凍機油を用いて既設の接続用冷媒配管を洗浄し、この接続用冷媒配管内に残留する冷凍機油などを前記室外機へ回収するよう構成されたことを特徴とする。
【００１５】
【発明の実施の形態】
以下図面を参照して、本発明の実施形態について説明する。図１は、本発明の実施形態にかかる空気調和装置１０を示す系統図である。この図に示すように、空気調和装置１０は、ガス管１３及び液管１４を備えてなる接続用冷媒配管１５に室外機１１が接続されるとともに、複数台の室内機１２Ａ、１２Ｂ・・・が並列に接続されて構成される。室内機１２Ａ、１２Ｂ・・・は、室内冷媒配管１６に室内膨張弁１７及び室内熱交換器１８が配設されて構成され、室内冷媒配管１６の一端がガス管１３に、他端が室内膨張弁１７を介して液管１４にそれぞれ接続される。また、室内膨張弁１７の弁開度は、空調負荷に応じて調整される。室内熱交換器１８には、この室内熱交換器１８へ送風する室内ファン２２が隣接して配置されている。
【００１６】
室外機１１は、室外冷媒配管１９に圧縮機２０が配設され、この圧縮機２０の吸込側にアキュムレータ２１が配設され、吐出側にオイルセパレータ２８、四方弁２３が順次配設され、更に、四方弁２３側の室外冷媒配管１９に室外熱交換器２４、室外膨張弁２５が順次配設されて構成される。室外冷媒配管１９の室外膨張弁２５側端部２８が、接続用冷媒配管１５の液管１４に接続される。また、室外冷媒配管１９のアキュムレータ２１側端部２７は、四方弁２３を介して接続用冷媒配管１５のガス管１３に接続される。室外膨張弁２５の弁開度は、空調負荷に応じて調整される。また、室外熱交換器２４には、この室外熱交換器２４へ送風する室外ファン２６が隣接して配置されている。
【００１７】
この構成の下、四方弁２３の切換により空気調和装置１０が冷房運転又は暖房運転に設定される。つまり、四方弁２３が冷房側に切り替えられると、冷媒が破線矢印Ａの如く流れ、室外機１１の圧縮機２０から吐出された冷媒は、オイルセパレータ２８および四方弁２３を経て室外熱交換器２４に至り、この室外熱交換器２４で凝縮され、室外膨張弁２５を経て液管１４に流れ、各室内機１２Ａ、１２Ｂ…に分流され、これらの室内機１２Ａ、１２Ｂ…の室内膨張弁１７を経て減圧された後、室内熱交換器１８で蒸発されて室内を冷房する。各室内機１２Ａ、１２Ｂ…の室内熱交換器１８からの冷媒は、ガス管１３で合流し、室外機１１に流され、この室外機１１の四方弁２３及びアキュムレータ２１を経て圧縮機２０に戻される。
【００１８】
また、四方弁２３が暖房側に切り替えられると、冷媒が実線矢印Ｂの如く流れ、室外機１１の圧縮機２０から吐出された冷媒は、オイルセパレータ２８および四方弁２３を経てガス管１３で合流し、室内機１２Ａ、１２Ｂ…で分流して、これら各室内機１２Ａ、１２Ｂ…の室内熱交換器１８にて凝縮して室内を暖房する。室内熱交換器１８にて凝縮された冷媒は室内膨張弁１７を経て液管１４にて合流され、室外機１１に流されて、この室外機１１の室外膨張弁２５で減圧され、室外熱交換器２４で蒸発された後、四方弁２３及びアキュムレータ２１を経て圧縮機２０に戻される。
【００１９】
空気調和装置１０が冷房運転および暖房運転されると、上述のように、冷媒が圧縮機２０から吐出された冷媒は、オイルセパレータ２８を経由することとなるが、このオイルセパレータ２８においては、冷媒に含有する冷凍機油が分離されて圧縮機２０に戻されるようになっている。
【００２０】
ところで、このように構成された空気調和装置１０を流れる冷媒は、特定の冷媒（ＣＦＣ系やＨＣＦＣ系の冷媒（例えばＲ２２））が用いられる。かかる空気調和装置１０が既設された建物において、この空気調和装置１０に代えて、別の冷媒（ＨＦＣ系などの冷媒（例えばＲ４１０Ａ、Ｒ４０７Ｃ））を用いた空気調和装置を上記建物に据え付ける場合、上記空気調和装置１０のうち室外機１１及び室内機１２Ａ、１２Ｂ…は新しいものに交換されるが、接続用冷媒配管１５は上記空気調和装置１０の既設のものが利用される。室外機１１や室内機１２Ａ，１２Ｂ・・・を交換する際、既設の空気調和装置１０と新設の空気調和装置とでは使用される冷媒が異なるため、これに応じて、圧縮機２０を潤滑するための冷凍機油も異なるものとなる。例えば、この冷凍機油は、冷媒Ｒ２２では鉱物油が使用され、冷媒Ｒ４１０ＡやＲ４０７Ｃではエーテル油やエステル油などの合成油が使用される。従って、接続用冷媒配管１５を再利用する際には、この接続用冷媒配管１５内に残留する不純物（残留油やスラッジ（油の老廃物）など）を洗浄して除去する必要がある。
【００２１】
そこで以下では、既設の接続用冷媒配管１５を洗浄するための既設配管洗浄システムおよび既設配管洗浄方法について詳述する。図２は、本実施形態にかかる空気調和装置の既設配管洗浄システム３００の構成を示す図であり、また、図３は、既設配管洗浄の手順を示すフローチャートである。本実施形態にかかる既設配管洗浄にあっては、新設の室外機１１’を洗浄機として使用し、洗浄液として新設の空気調和装置１０’に使用される冷凍機油を用いて、既設の接続用冷媒配管１５を洗浄するものである。このように新設の室外機１１’を洗浄機として使用するのは次の理由による。すなわち、既設の室外機１１を洗浄機として使用する洗浄処理にあっては、空気調和装置１０が故障するなどして既設の室外機１１が動作しない場合などに、接続用冷媒配管１５を洗浄するための装置が別途必要となる。特に、既設の空気調和装置１０の交換は、故障などにより動作しなくなったために行われることも少なくない。そこで、本実施形態では、新設の室外機１１’を洗浄機として使用し、接続用冷媒配管１５を洗浄するのである。以下、かかる手順を図２および図３を参照しつつ説明する。
【００２２】
図３に示すように、先ず、既設の空気調和装置１０の交換に伴い、作業員などが新たな空気調和装置１０’を新設した後（ステップＳ１）、図２に示すように、油排出・封入用配管３０を圧縮機２０に既設されている虫付バルブ２０ａに取付ける（ステップＳ２）。
【００２３】
ここで、油排出・封入用配管３０は、銅製の２分配管であり、虫付バルブ２０ａに接続される配管３０ａと、この配管３０ａから分岐する配管３０ｂ、３０ｃとを備えている。配管３０ｂにはチャージシリンダ３５（より詳細には、チャージシリンダ３５の液側バルブ３５ｂ）が接続され、また、配管３０ｃの開放端には廃油缶５０が接続される。また、配管３０ａには、コントロールバルブ３１、バックレスバルブ３２が虫付バルブ２０ａとの接続端から順次設けられ、配管３０ｂにはバックレスバルブ３４が設けら、また、配管３０ｃにはバックレスバルブ３３が設けられている。コントロールバルブ３１は、弁開度を調整して配管３０ａ内を流れる冷凍機油の流量をコントロールするものであり、バックレスバルブ３２、３３、３４は、逆流防止構造のバルブである。
【００２４】
チャージシリンダ３５は、新設された空気調和装置１０’に使用される冷凍機油が充填されるものである。より詳細には、図４に示すように、チャージシリンダ３５は、ガス側バルブ３５ａと液側バルブ３５ｂとを備え、ガス側バルブ３５ａには、チャージホース４０を介して真空ポンプ４１が接続され、また、液側バルブ３５ｂには、２分銅管４２を介してオイル缶４３が接続される。この構成の下、作業員がオイル缶４３に封入された冷凍機油をチャージシリンダ３５に充填する場合には、真空ポンプ４１、チャージホース４０、２分銅管４２およびオイル缶４３を図４の如くチャージシリンダ３５に接続した後、液側バルブ３５ｂを閉めた状態でガス側バルブ３５ａを開き、真空ポンプ４１にてチャージシリンダ３５内を排気する。そして、作業員は、液側バルブ３５ｂを開き、オイル缶４３から真空圧にて冷凍機油をチャージシリンダ３５内に充填し、所定量の冷凍機油を充填した後、ガス側バルブ３５ａおよび液側バルブ３５ｂを閉じて、チャージホース４０および２分銅管４２をチャージシリンダ３５から取り外す。これにより、チャージシリンダ３５には、空気の混入なしに冷凍機油が充填されることとなる。
【００２５】
さて、再び図３に戻り、作業員は、上記構成の油排出・封入用配管３０を取付けた後、圧縮機２０から冷凍機油を廃油缶５０に排出し、そして、チャージシリンダ３５から新設の空気調和装置１０’に対応する冷凍機油を封入するための処理を行う。具体的には、作業員は、新設の室内機１２Ａ’、１２Ｂ’・・・に冷媒を集めるために暖房ポンプダウンを行う（ステップＳ３）。この暖房ポンプダウン時には、冷媒がオイルセパレータ２８を通過する際に、この冷媒に含まれる冷凍機油が分離され圧縮機２０に貯留される。すなわち、暖房ポンプダウンにより、冷媒が新設の室内機１２Ａ’、１２Ｂ’・・・側に移動し、なおかつ、冷凍機油が圧縮機２０に貯留されることとなる。
【００２６】
次いで作業員は、圧縮機２０に貯留した冷凍機油を排出するに先立って、冷凍機油封入時に空気が圧縮機２０などの冷媒回路に混入するのを防止するために、油排出・封入用配管３０内を真空引きする（ステップＳ４）。具体的には、作業員は、図示せぬ真空ポンプを配管３０ｃの開放端に接続し、コントロールバルブ３１が全閉状態、かつ、バックレスバルブ３２、３３、３４が開状態の下、真空ポンプにより油排出・封入用配管３０内を真空引きする。そして、真空引き終了後、バックレスバルブ３２、３３、３４を閉じて、配管３０ｃの開放端に廃油缶５０を接続した後、コントロールバルブ３１、バックレスバルブ３２、３３を、この順で開き、圧縮機２０から冷凍機油を廃油缶５０に排出する（ステップＳ５）。
【００２７】
ここで、上記のように、冷凍機油排出前に油排出・封入用配管３０内が略真空になっているから、冷凍機油排出時には、油排出・封入用配管３０内は、この冷凍機油で満たされ、空気が残留することがないようになっている。従って、冷凍機油排出終了時に、バックレスバルブ３３、３２を、この順で閉めることで、油排出・封入用配管３０内への空気の混入が防止されるのである。
【００２８】
次に作業員は、チャージシリンダ３５内に充填されている冷凍機油を圧縮機２０へ封入する（ステップＳ６）。より詳細には、作業員は、図５に示すように、チャージシリンダ３５のガス側バルブ３５ａにゲージマニホールド６０を接続する。そして、このゲージマニホールド６０を介してチャージシリンダ３５内の冷凍機油に冷媒圧力をかけて、この冷凍機油を圧縮機２０に充填すべく、作業員は、ゲージマニホールド６０の閉鎖弁ガス側バルブ（図面左側のバルブ）、コモンバルブ（図面中央のバルブ）およびチャージシリンダ３５のガス側バルブ３５ａを開け、チャージシリンダ３５内に冷媒圧力を加える。次いで、作業員は、チャージシリンダ３５の液側バルブ３５ｂ、バックレスバルブ３４、３２、コントロールバルブ３１を、この順で開き、冷凍機油を圧縮機２０に封入する。ここで、上記のように油排出・封入用配管３０内に空気が混入していないため、冷凍機油の封入時に空気が冷媒回路に混入することがない。
【００２９】
次いで作業員は、所定量だけ冷凍機油を封入した後、コントロールバルブ３１、バックレスバルブ３２、３４、チャージシリンダ３５の液側バルブ３５ｂ、ガス側バルブ３５ａを、この順で閉じて冷凍機油封入を終了した後、接続用冷媒配管１５を共洗い洗浄するために、冷房または暖房運転を所定時間（例えば２０分間）行う（ステップＳ７）。これにより、新設の空気調和装置１０’に対応した冷媒および冷凍機油が接続用冷媒配管１５内を巡回し、これにより、接続用冷媒配管１５が共洗い洗浄される。また、この共洗い洗浄中には、オイルセパレータ２８により冷媒から冷凍機油が除去されることにより、既設の空気調和装置１０に対応した冷凍機油の残留成分が接続用冷媒配管１５から取り除かれ、圧縮機２０に回収されることとなる。
【００３０】
本実施形態では、かかる共洗い洗浄を複数回（図示例では、５回）繰り返して、より確実に接続用冷媒配管１５から残留油を除去するようにしている。すなわち、作業員は、新設の空気調和装置１０’に対応する冷凍機油の封入を５回行うまでは（ステップＳ８：ＮＯ）、処理手順をステップＳ３に戻し、冷凍機油の排出、封入、共洗いを繰り返す。そして、作業員は、新設の空気調和装置１０’に対応する冷凍機油の封入を５回行った後（ステップＳ８：ＹＥＳ）、新設した空気調和装置１０’に対応する冷凍機油を封入すべく暖房ポンプダウンを行い（ステップＳ９）、冷凍機油を排出した後（ステップＳ１０）、冷凍機油を圧縮機２０に封入して（ステップＳ１１）、作業を終了する。なお、上記洗浄作業中には、冷凍機油がドライヤーによって吸湿されるため、この水分を除去すべく当該ドライヤーを交換することが望ましい。また、共洗いの回数は、洗浄の度合いにより適宜変更可能である。
【００３１】
このように、本実施形態にあっては、建物に既設の接続用冷媒配管１５を、室外機及び室内機の交換時に有効に利用できることから、大がかりな接続用冷媒配管１５の入替工事が不要となり、新設の空気調和装置の据付工期を短縮できる。しかも、接続用冷媒配管１５の入替工事による大量の廃材の発生も防止できる。
【００３２】
また、新設の空気調和装置１０’を用いて既設の接続用冷媒配管１５を洗浄することから、この接続用冷媒配管１５を洗浄するための装置を別途に準備する必要がない。
【００３３】
上述した実施形態は、あくまでも本発明の一態様である。すなわち、本発明は、これに限定されるものではなく、本発明の範囲内で任意に変形例可能である。
【００３４】
例えば、上述した実施形態において、既設の空気調和装置１０を交換する際に、交換されるのは室外機１１だけで良く、室内機１２Ａ，１２Ｂ・・・は、既設のものを用いても良い。
【００３５】
また例えば、既設の室外機１１が運転可能であれば、この室外機１１を用いて上述した既設配管洗浄を行っても良い。
【００３６】
【発明の効果】
以上説明したように、本発明によれば、建物内に設置された既設配管を、室外機の交換時に洗浄して有効に利用できる空気調和装置の既設配管洗浄方法及び洗浄システムが提供される。
【図面の簡単な説明】
【図１】本発明の実施形態にかかる空気調和装置の構成を示す系統図である。
【図２】同既設配管洗浄システムの構成を示す系統図である。
【図３】同既設配管洗浄の処理手順を示すフローチャートである。
【図４】同チャージシリンダへの冷凍機油充填を説明するための図である。
【図５】同圧縮機への冷凍機油充填を説明するための図である。
【符号の説明】
１０、１０’  空気調和装置
１１、１１’  室外機
１２Ａ、１２Ｂ、１２Ａ’、１２Ｂ’  室内機
１５  接続用冷媒配管
２０  圧縮機
３０  封入用配管
３００  既設配管洗浄システム
【図１】
2004197997.tif 000003
【図２】
2004197997.tif 000004
【図３】
2004197997.tif 000005
【図４】
2004197997.tif 000006
【図５】
2004197997.tif 000007